(57)【特許請求の範囲】
【請求項１】
複数の視聴者を収容可能であり当該複数の視聴者が共有してコンテンツを視聴可能な会場の入口近傍に設置されるリクエスト受付装置であり、
視聴者が視聴したいコンテンツを前記視聴者にリクエストさせるためのリクエスト受付画面を表示する表示部と、
前記複数の視聴者に事前に提供される、前記コンテンツに関する情報である事前情報に基づいて前記視聴者が視聴したい前記コンテンツを前記複数の視聴者が前記会場にそれぞれ入場する際にリクエストするための操作入力を受け付ける操作入力部と、
を備えるリクエスト受付装置と、
前記視聴者による前記操作入力によってリクエストされた前記コンテンツを示すリクエスト情報を順次記憶する記憶部と、
リクエストされた前記コンテンツ毎に、前記記憶部が記憶した前記リクエスト情報の件数を集計する集計部と、
前記集計部が前記リクエスト情報を集計した結果に基づくリクエスト集計結果を表示する表示部と、
を備えるリクエスト管理装置と、
を有することを特徴とする、リクエストシステム。
【請求項２】
前記リクエスト管理装置は、
前記リクエスト集計結果を前記会場内に設けられた前記コンテンツを視聴可能な表示領域に表示させる制御部を有し、
前記リクエスト管理装置の制御部は、前記リクエスト集計結果を前記コンテンツが表示される前に表示させる
ことを特徴とする請求項１記載のリクエストシステム。
【請求項３】
前記リクエスト管理装置は、前記リクエスト集計結果に基づいてナビゲータの操作入力に応じたコンテンツを前記表示領域に再生をさせる指示を入力する操作入力部
を有することを特徴とする請求項２に記載のリクエストシステム。
【請求項４】
前記リクエストシステムは、
前記ナビゲータの操作入力を取得し、当該操作入力によって指示されたコンテンツを再生することで、前記表示領域に当該コンテンツを表示するコンテンツ再生装置を有する
請求項３に記載のリクエストシステム。
【請求項５】
前記リクエスト受付画面に表示される、コンテンツのタイトルを表示する背景色、当該コンテンツ毎に付与された番号、当該タイトルの表示位置、当該コンテンツの表示箇所に併せて表示されるイラスト、のうち少なくともいずれか１つの表示態様が、前記事前情報の表示態様と対応している
ことを特徴とする請求項１から請求項４のうちいずれか１項に記載のリクエストシステム。
【請求項６】
前記リクエスト集計結果の表示画面における、コンテンツのタイトルを表示する背景色、当該コンテンツ毎に付与された番号、当該タイトルの表示位置、当該コンテンツの表示箇所に併せて表示されるイラスト、のうち少なくともいずれか１つの表示態様が、前記事前情報の表示態様と対応している
ことを特徴とする請求項１から請求項５のうちいずれか１項に記載のリクエストシステム。
【請求項７】
複数の視聴者を収容可能であり当該複数の視聴者が共有してコンテンツを視聴可能な会場の入口近傍に設置されるリクエスト受付装置と、リクエスト管理装置とを含むリクエストシステムにおけるリクエスト方法であって、
前記リクエスト受付装置が、
視聴者が視聴したいコンテンツを前記視聴者にリクエストさせるためのリクエスト受付画面を表示する表示ステップと、
前記複数の視聴者に事前に提供される、前記コンテンツに関する情報である事前情報に基づいて前記視聴者が視聴したい前記コンテンツを前記複数の視聴者が前記会場にそれぞれ入場する際にリクエストするための操作入力を受け付ける操作入力ステップと、
を実行し、
前記リクエスト管理装置が、
前記視聴者による前記操作入力によってリクエストされた前記コンテンツを示すリクエスト情報を順次記憶する記憶ステップと、
リクエストされた前記コンテンツ毎に、前記記憶ステップが記憶した前記リクエスト情報の件数を集計する集計ステップと、
前記集計ステップが前記リクエスト情報を集計した結果に基づくリクエスト集計結果を表示する表示ステップと、
を実行することを特徴とする、リクエスト方法。
【請求項８】
前記リクエスト管理装置は、前記リクエスト集計結果に基づいてナビゲータの操作入力によって指示されたコンテンツを、前記会場内に設けられ前記コンテンツを視聴可能な表示領域に再生をさせる指示を入力する操作入力ステップ、
をさらに有することを特徴とする請求項７に記載のリクエスト方法。
【請求項９】
前記リクエストシステムは、コンテンツ再生装置をさらに有しており、
前記コンテンツ再生装置が、
前記ナビゲータの操作入力を取得し、当該操作入力によって指示されたコンテンツを再生することで、前記表示領域に当該コンテンツを表示する表示ステップ
を実行することを特徴とする請求項８に記載のリクエスト方法。
【発明の詳細な説明】
【技術分野】
【０００１】
本発明は、リクエストシステム、リクエスト方法に関する。
【背景技術】
【０００２】
展示会やシアター等の複数の視聴者が集まる会場において、会場のナビゲータが、視聴者へ提供するコンテンツを決定することがある。ナビゲータは、その場に集まった視聴者からのリクエストに応じて、予め用意された複数のコンテンツの中から、視聴者へ提供するコンテンツを決定する。
従来、視聴者からのリクエストに応じるために、ナビゲータは、例えば、会場に集まった視聴者に対して挙手や拍手を促して、多数決をとる。これにより、ナビゲータは、視聴者からの希望が多いコンテンツを特定する。そして、ナビゲータは、コンテンツ再生システムを操作して、特定したコンテンツを再生させる。
【０００３】
または、例えば、視聴者からのリクエストに応じるために、ナビゲータは、例えば、事前に、会場に集まる予定の視聴者に対して、視聴したいコンテンツの投票を促す。ナビゲータは、例えば、インターネット等のネットワーク上に予め用意したリクエストシステムを用いてリクエストするように視聴者を促す。そして、例えば、リクエストシステムは、リクエストされた件数が多かったコンテンツを、コンテンツ再生システムに再生させる。
例えば、特許文献１に記載のリクエストシステムは、視聴希望者からのリクエストを示す信号を電話回線経由で取得し、取得した信号に基づいてリクエストされた番組を放送する。
【先行技術文献】
【特許文献】
【０００４】
【特許文献１】特開平８−２０５１０７号公報
【発明の概要】
【発明が解決しようとする課題】
【０００５】
上述した、会場でナビゲータが視聴者に対して多数決を取る方法においては、特に多数の視聴者が会場に集まる場合、正確に多数決をとることが困難であったり、多数決をとるために多くの時間を要したりするという課題がある。
また、上述した、予め用意したリクエストシステムを用いて視聴者にリクエストをさせる方法においては、リクエストシステムを操作することができるだけの情報リテラシーが視聴者に要求されるため、様々なレベルの情報リテラシーを有する視聴者が集まる会場には適さないという課題がある。
【０００６】
本発明は上記の点に鑑みてなされたものであり、複数の視聴者が集まる会場において、提供するコンテンツのリクエストを視聴者から円滑に受け付けることができる、リクエストシステム、リクエスト方法を提供する。
【課題を解決するための手段】
【０００７】
（１）本発明は上記の課題を解決するためになされたものであり、本発明の一態様としては、視聴者が視聴したいコンテンツを視聴者にリクエストさせるためのリクエスト受付画面を表示する表示部と、前記視聴者が視聴したい前記コンテンツを前記視聴者がリクエストするための操作入力を受け付ける操作入力部と、を備えるリクエスト受付装置と、前記視聴者による前記操作入力によってリクエストされた前記コンテンツを示すリクエスト情報を順次記憶する記憶部と、リクエストされた前記コンテンツ毎に、前記記憶部が記憶した前記リクエスト情報の件数を集計する集計部と、前記集計部が前記リクエスト情報を集計した結果に基づくリクエスト集計結果を表示する表示部と、を備えるリクエスト管理装置と、を有することを特徴とする、リクエストシステムである。
【０００８】
（２）本発明の一態様としては、視聴者へ事前に提供される情報に基づいて前記視聴者が視聴したいコンテンツを前記視聴者にリクエストさせるためのリクエスト受付画面を表示する表示部と、前記視聴者へ事前に提供される前記情報に基づいて前記視聴者が視聴したい前記コンテンツを前記視聴者がリクエストするための操作入力を受け付ける操作入力部と、を備えることを特徴とする、リクエスト受付装置である。
【０００９】
（３）本発明の一態様としては、視聴者が視聴したいコンテンツを視聴者にリクエストさせるためのリクエスト受付画面を表示する表示ステップと、前記視聴者が視聴したい前記コンテンツを前記視聴者がリクエストするための操作入力を受け付ける操作入力ステップと、前記視聴者による前記操作入力によってリクエストされた前記コンテンツを示すリクエスト情報を順次記憶する記憶ステップと、リクエストされた前記コンテンツ毎に、前記記憶ステップが記憶した前記リクエスト情報の件数を集計する集計ステップと、前記集計ステップが前記リクエスト情報を集計した結果に基づくリクエスト集計結果を表示する表示ステップと、を有することを特徴とする、リクエスト方法である。
【００１０】
（４）本発明の一態様としては、視聴者へ事前に提供される情報に基づいて前記視聴者が視聴したいコンテンツを前記視聴者にリクエストさせるためのリクエスト受付画面を表示する表示ステップと、前記視聴者へ事前に提供される前記情報に基づいて前記視聴者が視聴したい前記コンテンツを前記視聴者がリクエストするための操作入力を受け付ける操作入力ステップと、を有することを特徴とする、リクエスト受付方法である。
【００１１】
（５）本発明の一態様としては、コンピュータに、視聴者が視聴したいコンテンツを視聴者にリクエストさせるためのリクエスト受付画面を表示する表示ステップと、前記視聴者が視聴したい前記コンテンツを前記視聴者がリクエストするための操作入力を受け付ける操作入力ステップと、前記視聴者による前記操作入力によってリクエストされた前記コンテンツを示すリクエスト情報を順次記憶する記憶ステップと、リクエストされた前記コンテンツ毎に、前記記憶ステップが記憶した前記リクエスト情報の件数を集計する集計ステップと、前記集計ステップが前記リクエスト情報を集計した結果に基づくリクエスト集計結果を表示する表示ステップと、を実行させるためのプログラムである。
【００１２】
（６）本発明の一態様としては、コンピュータに、視聴者へ事前に提供される情報に基づいて前記視聴者が視聴したいコンテンツを前記視聴者にリクエストさせるためのリクエスト受付画面を表示する表示ステップと、前記視聴者へ事前に提供される前記情報に基づいて前記視聴者が視聴したい前記コンテンツを前記視聴者がリクエストするための操作入力を受け付ける操作入力ステップと、を実行させるためのプログラムである。
【発明の効果】
【００１３】
本発明によれば、提供するコンテンツのリクエストを視聴者から円滑に受け付けることができる。
【図面の簡単な説明】
【００１４】
【図１】本発明の実施形態に係るリクエストシステム及びコンテンツ再生システムの全体構成の一例を示す概略図である。
【図２】本発明の実施形態に係るリクエストシステムの機能構成の一例を示すブロック図である。
【図３】本発明の実施形態に係るリクエストシステムの動作の一例を示すフローチャートである。
【図４】本発明の実施形態に係るリーフレットに記載される内容の一例を示す概略図である。
【図５】本発明の実施形態に係るリクエスト受付装置の設置イメージの一例を示す概略図である。
【図６】本発明の実施形態に係るリクエスト受付装置が表示する表示画面の一例を示す概略図である。
【図７】本発明の実施形態に係るリクエストシステムが記憶するリクエストログ情報の構成の一例を示す概略図である。
【図８】本発明の実施形態に係るリクエストシステムが記憶するリクエスト集計結果データの一例を示す概略図である。
【図９】本発明の実施形態に係るリクエスト管理装置及びコンテンツ再生システムが表示するリクエスト集計結果を表す画像の一例を示す概略図である。
【発明を実施するための形態】
【００１５】
（実施形態）
以下、本発明の実施形態について、図面を参照しながら説明する。
図１は、本発明の実施形態に係るリクエストシステム１の構成の一例を示す概略図である。
図１に例示するリクエストシステム１は、例えば、ＶＲ（Ｖｉｒｔｕａｌ  Ｒｅａｌｉｔｙ；仮想現実）技術を用いた映像及び音声によって構成されるコンテンツ（ＶＲコンテンツ）を再生するＶＲシアターに用いることができる。ＶＲシアターは、複数の視聴者をシアター会場内に収容することができる。ＶＲシアターでは、ナビゲータが、視聴者との対話に応じて、次に再生する映像コンテンツをその場で選択し、任意のタイミングでその映像コンテンツを再生させることができる。そして、ＶＲシアターでは、ナビゲータの操作入力によって再生される映像コンテンツを、ＶＲシアター内の視聴者全員で視聴することができる。
【００１６】
実施形態に係るリクエストシステム１は、コンテンツを再生するコンテンツ再生システム２に接続され、ＶＲシアター内に設置される。なお、コンテンツ再生システム２が再生するコンテンツは、ＶＲコンテンツに限られない。コンテンツ再生システム２が再生するコンテンツは、映像コンテンツ、音声コンテンツ、その他のコンテンツ、またはそれらのコンテンツを任意に組み合わせたコンテンツであってもよい。
【００１７】
リクエストシステム１は、ＶＲシアターに訪れる視聴者から、視聴したいコンテンツのリクエストを受け付けて、受け付けたリクエストの件数等を示す集計結果を、自らのリクエストシステム１が備える画面に表示したり、コンテンツ再生システム２が備える画面に表示させたりすることができる。
ＶＲシアターのナビゲータは、リクエストシステム１が集計したリクエスト件数の集計結果に基づいて、再生するコンテンツを決定する。ナビゲータは、決定したコンテンツをコンテンツ再生システム２によって再生させる。
【００１８】
なお、上記の説明においては、ナビゲータがコンテンツの決定、及びコンテンツの再生のための操作入力をする構成としたが、これに限られない。例えば、リクエストシステム１が集計したリクエスト件数の集計結果において、最もリクエスト件数が多かったコンテンツを、コンテンツ再生システム２が自動的に再生するような構成であってもよい。
【００１９】
リクエストシステム１は、１つまたは複数のリクエスト受付装置１１と、リクエスト管理装置１２と、を含んで構成される。
リクエスト受付装置１１は、ＶＲシアターに訪れる視聴者から、視聴したいコンテンツのリクエストを受け付ける端末装置である。リクエスト受付装置１１は、例えばＶＲシアターの入り口近傍等の一カ所または複数個所に設置される。
【００２０】
リクエスト受付装置１１は、例えば、タッチパネル式のディスプレイを備えるタブレット端末である。リクエスト受付装置１１は、自らのリクエスト受付装置１１が備えるディスプレイに、コンテンツの一覧を表示する。視聴者は、リクエスト受付装置１１のディスプレイに表示されたコンテンツの一覧の中で、自らが視聴したいコンテンツが表示された部分をタッチすることによって、リクエスト（投票）をすることができる。
【００２１】
視聴者には、例えば、リクエストをすることができるコンテンツのタイトル、及びコンテンツの概要等が記載された資料であるリーフレット３が、予め配布される。視聴者は、予め配布されたリーフレット３を参照して、リクエストするコンテンツを予め検討して決めておくことができる。なお、コンテンツのタイトル、及びコンテンツの概要等の、視聴者への事前情報の提供方法は、リーフレット３を配布することによる提供方法に限られない。例えば、事前情報が掲載されたＷｅｂページ等が公開されることによって、視聴者に対し事前情報が提供されるようにしてもよい。
視聴者は、例えば、ＶＲシアターに入場する際に、ＶＲシアターの入り口近傍に設置されたリクエスト受付装置１１によって、予め検討して決めていたコンテンツをリクエストする。これにより、ＶＲシアターに訪れる視聴者は、スムーズに、視聴したいコンテンツのリクエストをして、ＶＲシアターの会場に入場することができる。
【００２２】
リクエスト受付装置１１は、視聴者から受け付けたリクエストの内容を示すリクエストログ情報を順次記憶する。また、リクエスト受付装置１１は、リクエストログ情報を、他のリクエスト受付装置１１、及びリクエスト管理装置１２へ送信する。
リクエスト受付装置１１が複数設置されている場合には、各リクエスト受付装置１１は、リクエストを受け付けた時に、即時的に他の全てのリクエスト受付装置１１へ、受け付けたリクエストの内容を示すリクエストログ情報を送信する。すなわち、全てのリクエスト受付装置１１は、それぞれのリクエスト受付装置１１が受け付けたリクエストを互いに同期して記憶することができる。リクエスト受付装置１１と、他のリクエスト受付装置１１との間の通信は、例えば、ルーター１３を介して接続される。
【００２３】
リクエスト受付装置１１は、例えば、Ｗｉ−Ｆｉ（登録商標）接続による通信接続が可能である。これにより、リクエスト受付装置１１は、無線ＬＡＮ（Ｌｏｃａｌ  Ａｒｅａ  Ｎｅｔｗｏｒｋ；構内通信網）ルーターを介して、他のリクエスト受付装置１１、及びリクエスト管理装置１２と通信接続することができる。
【００２４】
リクエスト管理装置１２は、リクエスト受付装置１１から取得するリクエストログ情報を集計し、リクエスト集計結果を示す画像を、自らのリクエスト管理装置１２が備えるディスプレイ、または、コンテンツ再生システム２が備える大型ディスプレイに表示する。これにより、ナビゲータは、リクエスト管理装置１２によって表示された画像が示すリクエスト集計結果に基づいて、コンテンツ再生システム２に再生させるコンテンツを決定することができる。
または、リクエスト管理装置１２は、リクエスト受付装置１１から取得するリクエストログ情報の集計結果に基づいて、例えば、最もリクエスト件数が多かったコンテンツを示すデータをコンテンツ再生システム２へ送信する。これにより、リクエスト管理装置１２は、コンテンツ再生システム２にコンテンツを再生させることができる。
【００２５】
リクエスト管理装置１２は、例えば、パーソナルコンピュータ等の端末装置である。リクエスト管理装置１２は、各リクエスト受付装置１１、及びコンテンツ再生システム２と、通信ネットワークを介して通信接続することができる。
【００２６】
ルーター１３は、各リクエスト受付装置１１、リクエスト管理装置１２、及びコンテンツ再生システム２の間の通信接続を可能にするためのルーター装置である。ルーター１３は、無線ＬＡＮ接続及び有線ＬＡＮ接続が可能である。ルーター１３は、例えば、Ｗｉ−Ｆｉ接続によってリクエスト受付装置１１と通信接続し、有線ＬＡＮ接続によってリクエスト管理装置１２、及びコンテンツ再生システム２と通信接続する。
【００２７】
コンテンツ再生システム２は、ナビゲータによる操作入力によって指定されたコンテンツ、またはリクエスト管理装置１２から取得するデータによって指定されたコンテンツ、を再生する装置である。コンテンツ再生システム２は、ＶＲシアターの会場内に設置され、複数の視聴者が共有して視聴可能な大型ディスプレイ等の表示画面やスピーカーを備える。コンテンツ再生システム２は、複数のコンテンツを予め記憶している。コンテンツ再生システム２は、自らのコンテンツ再生システム２が備えるディスプレイやスピーカー（図示せず）に出力することによって、コンテンツ（例えば、ＶＲコンテンツ）を視聴者に提供することができる。また、コンテンツ再生システム２は、リクエスト管理装置１２によって集計されたリクエスト集計結果を、自らのコンテンツ再生システム２が備えるディスプレイに表示する。
【００２８】
次に、リクエストシステム１の機能構成について説明する。
図２は、本発明の実施形態に係るリクエストシステム１及びコンテンツ再生システム２の機能構成の一例を示すブロック図である。
実施形態に係るリクエストシステム１は、１つまたは複数のリクエスト受付装置１１と、リクエスト管理装置１２と、を含んで構成される。また、リクエストシステム１は、コンテンツ再生システム２と接続される。
【００２９】
まず、リクエスト受付装置１１の機能構成について説明する。
リクエスト受付装置１１は、操作入力部１１１と、表示部１１２と、記憶部１１３と、通信部１１４と、制御部１１５と、を含んで構成される。
操作入力部１１１は、ユーザ（例えば、ＶＲシアターに訪れる視聴者、及びＶＲシアターの会場のスタッフ等）による各種の操作入力を受け付ける。操作入力部１１１は、受け付けた各種の操作入力に基づく操作信号を制御部１１５へ出力する。
各種の操作入力に基づく操作信号とは、例えば、リクエスト受付を待ち受ける状態に切り替えることを示す信号、視聴者からリクエストされたコンテンツを識別する信号、及びリクエスト受付を待ち受ける状態を解除することを示す信号、等である。
操作入力部１１１は、各種の操作入力部材、例えば、タッチパネル式ディスプレイの画面、操作ボタン、または操作用コントローラー等を含んで構成される。
【００３０】
表示部１１２は、各種の画像を表示する。各種の画像とは、例えば、ＶＲシアターに訪れる視聴者にコンテンツをリクエストさせるためのコンテンツ一覧を含む画像、自らのリクエスト受付装置１１の各種の操作画面を示す画像、及びＶＲシアターに訪れる視聴者によってリクエストされたコンテンツを示すリクエストログ情報のデータに基づく画像、等である。
表示部１１２は、ディスプレイ、例えば、液晶ディスプレイ、有機ＥＬ（Ｅｌｅｃｔｒｏｌｕｍｉｎｅｓｃｅｎｃｅ）ディスプレイ等を含んで構成される。
【００３１】
記憶部１１３は、各種のデータ及びプログラムを記憶する。各種のデータ及びプログラムとは、例えば、ＶＲシアターに訪れる視聴者によってリクエストされたコンテンツを示すリクエストログ情報のデータ、視聴者にコンテンツをリクエストさせるためのコンテンツ一覧を含む画像の画像データ、及び自らのリクエスト受付装置１１の各種の処理を実行するためのプログラム、等である。
記憶部１１３は、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。
【００３２】
通信部１１４は、他のリクエスト受付装置１１の通信部１１４、または後述するリクエスト管理装置１２の通信部１２４と通信接続するための通信インターフェースである。通信部１１４は、例えばＷｉ−Ｆｉ（登録商標）接続によって接続される、図１に図示したルーター１３を介して通信接続する。
【００３３】
制御部１１５は、上記の各機能ブロックを用いて、自らのリクエスト受付装置１１の全ての処理を実行制御する。制御部１１５は、例えば、ＣＰＵ（Ｃｅｎｔｒａｌ  Ｐｒｏｃｅｓｓｉｎｇ  Ｕｎｉｔ；中央演算処理装置）を含んで構成される。
【００３４】
次に、リクエスト管理装置１２の機能構成について説明する。
リクエスト管理装置１２は、操作入力部１２１と、表示部１２２と、記憶部１２３と、通信部１２４と、制御部１２５と、集計部１２６と、を含んで構成される。
【００３５】
操作入力部１２１は、ユーザ（例えば、ＶＲシアターのナビゲータ）による各種の操作入力を受け付ける。操作入力部１２１は、受け付けた各種の操作入力に基づく操作信号を制御部１２５へ出力する。
各種の操作入力に基づく操作信号とは、例えば、リクエスト受付装置１１から取得したリクエストログ情報を集計することを示す信号、リクエストログ情報を集計した結果を表す画像を自らのリクエスト管理装置１２が備える表示部１２２、または後述するコンテンツ再生システム２が備えるコンテンツ再生部２０２に表示させることを示す信号、等である。
操作入力部１２１は、各種の操作入力部材、例えば、キーボード、マウス、タッチパネル式ディスプレイの画面、操作ボタン、または操作用コントローラー等を含んで構成される。
【００３６】
表示部１２２は、各種の画像を表示する。各種の画像とは、例えば、リクエストログ情報を集計した結果を表す画像、及び自らのリクエスト管理装置１２の各種の操作画面を示す画像等である。
表示部１１２は、ディスプレイ、例えば、液晶ディスプレイ、有機ＥＬディスプレイ、またはＣＲＴ（Ｃａｔｈｏｄｅ  Ｒａｙ  Ｔｕｂｅ）等を含んで構成される。
【００３７】
記憶部１２３は、各種のデータ及びプログラムを記憶する。各種のデータ及びプログラムとは、例えば、ＶＲシアターに訪れる視聴者によってリクエストされたコンテンツを示すリクエストログ情報のデータ、リクエストログ情報を集計した結果を示すリクエストログ集計結果データ、リクエストログ情報を集計した結果を表す画像データ、及び自らのリクエスト管理装置１２の各種の処理を実行するためのプログラム、等である。
記憶部１２３は、例えば、ＨＤＤ、フラッシュメモリ、ＥＥＰＲＯＭ、ＲＯＭ、ＲＡＭ、又はそれらの任意の組み合わせを含んで構成される。
【００３８】
通信部１２４は、各リクエスト受付装置１１の通信部１１４、または後述するコンテンツ再生システム２の通信部２０４と通信接続するための通信インターフェースである。通信部１２４は、例えば有線ＬＡＮ接続によって接続される、図１に図示したルーター１３を介して通信接続する。
【００３９】
制御部１２５は、上記の各機能ブロックを用いて、自らのリクエスト管理装置１２の全ての処理を実行制御する。制御部１２５は、例えば、ＣＰＵを含んで構成される。
【００４０】
次に、コンテンツ再生システム２の機能構成について簡単に説明する。
なお、以下に説明するコンテンツ再生システム２の機能構成は一例であって、複数のコンテンツが予め記憶され、実行指示に応じて指定されたコンテンツを再生し、ＶＲシアターに訪れる視聴者にコンテンツを視聴させることができる画面を備えたシステムであれば何でもよい。
コンテンツ再生システム２は、操作入力部２０１と、コンテンツ再生部２０２と、コンテンツ記憶部２０３と、通信部２０４と、制御部２０５と、を含んで構成される。
【００４１】
操作入力部２０１は、各種の操作入力を受け付ける操作入力部材である。操作入力部２０１は、例えば、指定のコンテンツを再生させる実行指示を示すナビゲータからの操作入力を受け付ける。
【００４２】
コンテンツ再生部２０２は、後述するコンテンツ記憶部２０３に記憶されたコンテンツを再生する各種の部材である。コンテンツ再生部２０２は、例えば、大型ディスプレイまたは大型スクリーン、及び、スピーカーまたは複数のヘッドフォン、等を含んで構成される。または、コンテンツ再生部２０２は、例えば、複数のディスプレイ、及び、複数の指向性スピーカーまたは複数のヘッドフォン、等を含んで構成される。
コンテンツ記憶部２０３は、複数のコンテンツ（例えば、ＶＲコンテンツ）を記憶することができる各種の記憶媒体である。
【００４３】
通信部２０４は、リクエスト管理装置１２の通信部１２４と通信接続するための通信インターフェースである。
【００４４】
制御部２０５は、上記の各機能ブロックを用いて、自らのコンテンツ再生システム２の全ての処理を実行制御する。制御部２０５は、例えば、ＣＰＵを含んで構成される。
【００４５】
（リクエストシステム１の動作）
以下に、リクエストシステム１の動作について、図を用いて説明する。
図３は、本発明の実施形態に係るリクエストシステム１の動作の一例を示すフローチャートである。
本フローチャートは、ＶＲシアターに訪れる視聴者に対し、コンテンツのタイトル一覧、及びコンテンツの概要等に関する事前情報が提供された場合（例えば、リーフレット３が配布された場合、または事前情報が掲載されたＷｅｂページが公開された場合等）に開始される。
【００４６】
（ステップＳ１０１）まず、例えばＶＲシアターのスタッフ等によって、ＶＲシアターに訪れる視聴者に対し、リクエストできるコンテンツのタイトル一覧、及びコンテンツの概要等に関する事前情報が提供される（例えば、リーフレット３が配布される）。例えば、ＶＲシアターは、博物館や美術館等の複数の展示物がある施設の中に設けられている。事前情報がリーフレット３によって視聴者へ提供される場合には、リーフレット３は、例えば、施設の入口近傍にて配布される。これによって視聴者は、施設の入口からＶＲシアターに至る経路上のいずれかの場所でリーフレット３を読むことが可能である。そして視聴者は、事前情報に掲載されたコンテンツ一覧の中から、所定の個数（例えば２つ）のリクエストするコンテンツを、ＶＲシアターに到着する前に決めておくことができる。その後、ステップＳ１０２へ進む。
【００４７】
（ステップＳ１０２）次に、例えばＶＲシアターのスタッフ等による操作入力によって、リクエスト受付装置１１の表示部１１２に表示される画像が、リクエストの受付時間前の状態であることを示す画像から、リクエストを受け付け中の状態であることを示す画像へ切り替えられる（すなわち、リクエストの受付が開始される）。その後、ステップＳ１０３へ進む。
【００４８】
（ステップＳ１０３）リクエスト受付装置１１の操作入力部１１１が、視聴者によるコンテンツのリクエストを示す操作入力を受け付けた場合、操作入力部１１１は、受け付けた操作入力の内容を示す操作信号を、制御部１１５へ出力する。その後、ステップＳ１０４へ進む。
リクエスト受付装置１１の操作入力部１１１が、視聴者によるコンテンツのリクエストを示す操作入力を受け付けていない場合、ステップＳ１０６へ進む。
【００４９】
（ステップＳ１０４）制御部１１５は、操作入力部１１１から取得した操作信号に基づくリクエストログ情報を示すデータを、記憶部１１３に記憶させる。その後、ステップＳ１０５へ進む。
【００５０】
（ステップＳ１０５）制御部１１５は、操作入力部１１１から取得した操作信号に基づくリクエストログ情報を示すデータを、通信部１１４を介して、リクエスト管理装置１２の通信部１２４へ送信する。リクエスト管理装置１２の制御部１２５は、通信部１２４が取得したデータを、記憶部１２３に記憶させる。これにより、リクエスト受付装置１１の記憶部１１３に記憶されたデータと、他のリクエスト管理装置１２の記憶部１２３に記憶されたデータと、が同期される。
また、制御部１１５は、操作入力部１１１から取得した操作信号に基づくリクエストログ情報を示すデータを、通信部１１４を介して、他のリクエスト受付装置１１の通信部１１４へ送信する。これにより、リクエスト受付装置１１の記憶部１１３に記憶されたデータと、他のリクエスト受付装置１１の記憶部１１３に記憶されたデータと、が同期される。その後、ステップ１０６へ進む。
【００５１】
（ステップＳ１０６）次に、例えばＶＲシアターのスタッフ等による操作入力によって、リクエスト受付装置１１の表示部１１２に表示される画像が、リクエストを受け付け中の状態であることを示す画像から、リクエスト受け付けを締め切った状態であることを示す画像へ切り替えられた場合（すなわち、リクエストの受付が終了された場合）、ステップＳ１０７へ進む。そうでない場合、ステップＳ１０３へ戻る。
【００５２】
（ステップＳ１０７）リクエスト管理装置１２の操作入力部１２１を介して、リクエスト管理装置１２の記憶部１２３に記憶されたリクエストログ情報を集計すること示す操作入力がなされる。その操作入力は、例えばＶＲシアターのナビゲータによってなされる。操作入力部１２１は、その操作入力に対応する操作信号を制御部１２５へ出力する。制御部１２５は、操作入力部１２１から取得した操作信号に基づいて、集計部１２６を介して、記憶部１２３に記憶されたリクエストログ情報を集計する。その集計には、コンテンツ毎のリクエストログ情報の数の合計（リクエスト件数）を集計することが含まれる。その後、ステップＳ１０８へ進む。
【００５３】
（ステップＳ１０８）リクエスト管理装置１２の集計部１２６は、集計した結果に基づいて、集計結果を表す画像を生成する。リクエスト管理装置１２の制御部１２５は、集計部１２６が生成した画像を、表示部１２２に表示させる。
また、リクエスト管理装置１２の制御部１２５は、集計部１２６が生成した画像を示す画像データを、通信部１２４を介して、コンテンツ再生システム２の通信部２０４へ送信する。コンテンツ再生システム２の制御部２０５は、通信部２０４が取得した画像データに基づく画像を、コンテンツ再生部２０２に表示させる。
【００５４】
なお、集計結果を表す画像を、リクエスト管理装置１２が生成するのではなく、例えば、コンテンツ再生システム２が生成する構成であってもよい。その場合、リクエスト管理装置１２の制御部１２５は、集計部１２６が集計した集計結果を示すデータを、通信部１２４を介して、コンテンツ再生システム２の通信部２０４へ送信する。コンテンツ再生システム２の制御部２０５は、通信部２０４が取得した集計結果を示すデータに基づいて、集計結果を表す画像を生成する。コンテンツ再生部２０２は、制御部２０５が生成した集計結果を表す画像を表示する。
その後、ステップＳ１０９へ進む。
【００５５】
（ステップＳ１０９）コンテンツ再生システム２の操作入力部２０１を介して、再生するコンテンツが指定されたことを示す操作入力がなされる。その操作入力は、例えば、ＶＲシアターのナビゲータによってなされる。操作入力部２０１は、その操作入力に対応する操作信号を、制御部２０５へ送信する。その後、ステップＳ１１０へ進む。
【００５６】
（ステップＳ１１０）制御部２０５は、操作入力部２０１から取得した操作信号に基づいて、コンテンツ記憶部２０３に記憶されたコンテンツを示すコンテンツデータを取得する。制御部２０５は、取得した操作信号に基づいて、指定されたコンテンツを示すコンテンツデータを、コンテンツ記憶部２０３から取得する。制御部２０５は、取得したコンテンツデータに基づくコンテンツをコンテンツ再生部２０２に再生させる。その後、ステップＳ１１１へ進む。
【００５７】
（ステップＳ１１１）コンテンツ再生部２０２が再生するコンテンツの再生が終了する。ここで、更に、コンテンツ再生システム２の操作入力部２０１を介して、再生する他のコンテンツが指定されたことを示す操作入力がなされた場合には、ステップＳ１０９へ戻る。そうでない場合（その後は、他のコンテンツが再生されない場合）、本フローチャートの処理は終了する。
【００５８】
（事前情報に記載される内容の例）
以下に、事前情報に記載される内容について、図を用いて説明する。
上述したように、視聴者への事前情報の提供方法は、例えば、事前にリーフレット３を視聴者へ配布する方法でもよいし、事前情報を掲載したＷｅｂページを事前に降下する方法でもよい。以下においては、事前にリーフレット３を視聴者へ配布する方法を例として説明する。
図４は、本発明の実施形態に係るリーフレット３に記載される内容の一例を示す概略図である。
リーフレット３は、ＶＲシアターに訪れる視聴者へ事前に配布される。リーフレット３に記載される内容には、図４に図示するコンテンツ一覧３１のようなコンテンツ一覧が含まれる。図４に例示するコンテンツ一覧３１には、「１．風物詩」、「２．信仰」、「３．名所今昔」、「４．豊臣家」、「５．異国人」、及び「６．商い」という６つのコンテンツが記載されている。また、リーフレット３には、コンテンツ一覧に含まれるそれぞれのコンテンツの概要が記載されている。
【００５９】
また、リーフレット３のコンテンツ一覧３１に含まれる各コンテンツが記載された６つの欄の背景色または背景イラストは、それぞれ色分けされている。例えば、図４に例示するリーフレット３のコンテンツ一覧３１に含まれる各コンテンツにおいては、「１．風物詩」の欄の背景色にはピンク色が、「２．信仰」の欄の背景色には黄色が、「３．名所今昔」の欄の背景色には紫色が、「４．豊臣家」の欄の背景色には緑色が、「５．異国人」の欄の背景色には青色が、及び「６．商い」の欄の背景色にはオレンジ色が用いられている。
【００６０】
ＶＲシアターに訪れる視聴者は、上映開始時間になる前に、この６つのコンテンツの中から、ＶＲシアターで再生してほしいコンテンツを、リクエスト受付装置１１の操作入力部１１１によってリクエストする。図４に例示するリーフレット３においては、コンテンツ一覧３１の中から２つのコンテンツをリクエストするように、視聴者が依頼されていることを示す文面が記載されている。
【００６１】
（リクエスト受付装置１１の設置例）
以下に、リクエスト受付装置１１の設置イメージについて、図を用いて説明する。
図５は、本発明の実施形態に係るリクエスト受付装置１１の設置イメージの一例を示す  概略図である。
図５に図示するように、リクエスト受付装置１１は、例えば、ＶＲシアターの入口の近傍に設置される。例えば、ＶＲシアターの入口の近傍に台が設置され、その台の上にリクエスト受付装置１１が設置される。ＶＲシアター内に入場する視聴者は、ＶＲシアターに入場するタイミングで、このリクエスト受付装置１１を介して、コンテンツをリクエスト（入力）することができる。これにより、リクエストシステム１は、ＶＲシアターに訪れる視聴者からのリクエストをスムーズに受け付けることができる。また、ＶＲシアターに入場する視聴者が入場するタイミングでリクエストを受け付けることによって、同一の視聴者からの重複リクエストを防止することができる。
【００６２】
なお、設置されるリクエスト受付装置１１は、１台だけでなく複数台であっても構わない。また、リクエスト受付装置１１は、ＶＲシアターの近傍ではない場所に設置されていてもよい。また、リクエスト受付装置１１の機能がコンピュータプログラムで実現され、ネットワーク（例えば、インターネット）上で公開されるような構成にしてもよい。これにより、ＶＲシアターに訪れる視聴者は、例えば、自宅のパーソナルコンピュータ等によって、事前にコンテンツのリクエストを行っておくことが可能になる。
【００６３】
（リクエスト受付装置１１の画面表示例）
以下に、リクエスト受付装置１１が表示する画面表示について、図を用いて説明する。
図６は、本発明の実施形態に係るリクエスト受付装置１１が表示する画面表示の一例を示す概略図である。
図６（Ａ）は、それぞれリクエスト受付装置１１の表示部１１２に、リクエスト受付画面を示す画像ｄｉ１が表示されている様子を表す。なお、図６（Ａ）に例示する表示部１１２は、操作入力部１１１も兼ねたタッチパネル式のディスプレイである。
【００６４】
図６（Ａ）に図示する画像ｄｉ１は、ＶＲシアターに訪れる視聴者からの、１つめのコンテンツのリクエスト入力を待ち受ける場合において表示される画像である。
図６（Ａ）に図示する画像ｄｉ１には、図４に図示するリーフレット３に記載されたコンテンツ一覧３１に対応するコンテンツ一覧が含まれる。このコンテンツ一覧の中のそれぞれのコンテンツはそれぞれ選択可能になっている。例えば、ＶＲシアターに訪れる視聴者によって、コンテンツのタイトル（「１．風物詩」、「２．信仰」、「３．名所今昔」、「４．豊臣家」、「５．異国人」、または「６．商い」）が表示された部分のいずれかがタッチされることによって、コンテンツの選択がなされる。
【００６５】
なお、画像ｄｉ１において、コンテンツ一覧が表示された６つの欄の背景色は、それぞれ色分けされている。例えば、図６（Ａ）に例示する画像ｄｉ１のコンテンツ一覧においては、「１．風物詩」の欄の背景色にはピンク色が、「２．信仰」の欄の背景色には黄色が、「３．名所今昔」の欄の背景色には紫色が、「４．豊臣家」の欄の背景色には緑色が、「５．異国人」の欄の背景色には青色が、及び「６．商い」の欄の背景色にはオレンジ色が用いられている。
【００６６】
この色分けは、上述した、リーフレット３のコンテンツ一覧３１に含まれる各コンテンツが記載された６つの欄の背景色と、それぞれ一致している。このように、リクエスト受付装置１１は、コンテンツ毎に決められた色をそれぞれ背景色にしたコンテンツ一覧画面を表示することによって、視聴者が、予めリクエストする予定ではなかったコンテンツを誤ってリクエストする可能性を低減することができる。
なお、画像ｄｉ１と、事前情報が掲載されたリーフレットやＷｅｂページと、において一致させることができるものは、コンテンツ毎の色だけには限られない。例えば、コンテンツ毎に付与された番号（数字）、各コンテンツの表示位置（配置）、及び各コンテンツの表示箇所に併せて表示されるイラスト等についても、画像ｄｉ１と、事前情報が掲載されたリーフレットやＷｅｂページと、において一致させるようにしてもよい。
【００６７】
図６（Ｂ）に図示する画像ｄｉ２は、ＶＲシアターに訪れる視聴者から１つめのコンテンツのリクエスト入力がなされ、２つめのコンテンツのリクエスト入力を待ち受ける場合において表示される画像である。
図６（Ｂ）に図示する画像ｄｉ２は、視聴者によって、１つめのリクエスト入力として、「１．風物詩」というコンテンツのリクエスト入力がなされた場合において表示される画像である。
【００６８】
図６（Ｂ）に図示するように、画像ｄｉ２は、「１．風物詩」と表示された部分がグレーアウトされ、既に「１．風物詩」というコンテンツが選択されていることが認識できるような画像になっている。図６（Ａ）の画像ｄｉ１が表示されている場合に、例えば、ＶＲシアターに訪れる視聴者により「１．風物詩」が表示された部分がタッチされることによってコンテンツの選択がなされ、表示部１１２は、図６（Ａ）の画像ｄｉ１から図６（Ｂ）の画像ｄｉ２に表示を切り替える。
【００６９】
なお、再度、「１．風物詩」が表示された部分がタッチされることによって、表示部１１２は、図６（Ｂ）の画像ｄｉ２から図６（Ａ）の画像ｄｉ１へ再び表示を切り替える（すなわち、「１．風物詩」というコンテンツの選択をキャンセルする）ことができるようにしてもよい。
【００７０】
図６（Ｃ）に図示する画像ｄｉ３は、ＶＲシアターに訪れる視聴者からのコンテンツのリクエスト入力が完了した場合に表示される画像である。画像ｄｉ３は、例えば、図６（Ｃ）に示す「リクエストありがとうございました。シアター内へお進みください。」のような、リクエストの入力が完了したことを視聴者に認識させることができる文面を含む。
【００７１】
図６（Ｃ）に図示する画像ｄｉ３は、図６（Ｂ）に図示する画像ｄｉ２が表示されている場合において、ＶＲシアターに訪れる視聴者によって、残りの５つのコンテンツである「２．信仰」、「３．名所今昔」、「４．豊臣家」、「５．異国人」、または「６．商い」の中から、更にもう１つのコンテンツが選択がなされた場合において表示される。または、図６（Ｃ）に図示する画像ｄｉ３は、図６（Ｂ）に図示する画像ｄｉ２が表示されている場合において、画像ｄｉ２の右上部分にある「選択終了」と表示された部分がタッチされた場合において表示される。
但し、上記の動作は一例であり、コンテンツが２つ選択された状態で「選択終了」と表示された部分がタッチされた場合に、画像ｄｉ３が表示されるようにしてもよい。
【００７２】
リクエスト受付装置１１の表示部１１２は、画像ｄｉ３を一定の時間（例えば、５秒間）表示した後、再び図６（Ａ）に図示する画像ｄｉ１へ表示を切り替える。これにより、リクエスト受付装置１１は、次の視聴者からのリクエストを受付可能になる。
【００７３】
（リクエストログ情報の構成）
以下に、リクエストシステム１が記憶するリクエストログ情報について、図を用いて説明する。
図７は、本発明の実施形態に係るリクエストシステム１が記憶するリクエストログ情報の構成の一例を示す概略図である。
図７に示すリクエストログ情報は、リクエスト管理装置１２の記憶部１２３に記憶される。また、図７に示すリクエストログ情報は、リクエスト受付装置１１の記憶部１１３に記憶される。
【００７４】
図７に図示するように、リクエストログ情報は、「年」、「月」、「日」、「曜日」、「時」、「分」、「秒」、「回」、「リクエスト順」、コンテンツのタイトルを示す６つの項目（「風物詩」、「信仰」、「名所今昔」、「豊臣家」、「異国人」、「商い」）、及び「端末番号」の１６個の項目の列からなる２次元の表形式のデータである。
【００７５】
「年」、「月」、「日」、「曜日」、「時」、「分」、及び「秒」の項目の列には、リクエストが受け付けられた時間を示すデータがそれぞれ格納される。例えば、図７示すデータの２行目のように、「年」、「月」、「日」、「曜日」、「時」、「分」、及び「秒」の項目の値が、それぞれ「２０１５」、「１」、「８」、「Ｆｒｉ」、「９」、「５０」、及び「３９」であるならば、このリクエストログ情報が示すリクエストは、「２０１５年１月８日の金曜日の、９時５０分３９秒」に受け付けられたリクエストであることを表す。
【００７６】
「回」の項目の列には、ＶＲシアターにおける上演の回を表すデータが格納されている。例えば、ＶＲシアターにおける上演が１日に３回あり、初回の上演が１０時に開始、２回目の上演が１２時に開始、及び３回目の上演が１４時に開始される場合、１０時の上演に対するリクエストを示すリクエストログ情報の「回」の項目には、「１０：００」というデータが格納される。
図７に図示するリクエストログ情報は、全て、１０時に開始される上演に対するリクエストであることを表す。
【００７７】
「リクエスト順」の項目の列には、リクエストが受け付けられた順番を示すデータが格納される。
【００７８】
コンテンツのタイトルを示す６つの項目（「風物詩」、「信仰」、「名所今昔」、「豊臣家」、「異国人」、「商い」）の列には、リクエストされたコンテンツであるか否かを示す「０」または「１」という値が格納される。例えば、図７に示すデータの２行目のように、「風物詩」、「信仰」、「名所今昔」、「豊臣家」、「異国人」、及び「商い」の項目の列の値が、それぞれ、「１」、「０」、「０」、「０」、「０」、及び「１」であるならば、このリクエストログ情報は、「１．風物詩」と「６．商い」の２つのコンテンツのリクエストがなされたことを表す。この２つのコンテンツのタイトル（「１．風物詩」と「６．商い」）は、図６（Ａ）の画像ｄｉ１に含まれるコンテンツ一覧の中のコンテンツのタイトルである「１．風物詩」と「６．商い」、及び図４のリーフレット３に含まれるコンテンツ一覧の中のコンテンツのタイトルである「１．風物詩」と「６．商い」に対応している。
【００７９】
端末番号の項目の列には、リクエストを受け付けたリクエスト受付装置１１を特定することができる識別子を示すデータが格納される。例えば、リクエスト受付装置１１は２台設置されている場合において、片方のリクエスト受付装置１１には「１」、もう片方のリクエスト受付装置１１には「２」という識別子が割り当てられる。端末番号の項目の列の値を参照するによって、リクエストログ情報が、「１」という識別子が割り当てられたリクエスト受付装置１１から受け付けられたリクエストを示すリクエストログ情報なのか、または、「２」という識別子が割り当てられたリクエスト受付装置１１から受け付けられたリクエストを示すリクエストログ情報なのか、を特定することができる。
【００８０】
（リクエスト集計結果データの構成）
以下に、リクエストシステム１が記憶するリクエスト集計結果データについて、図を用いて説明する。
図８は、本発明の実施形態に係るリクエストシステム１が記憶するリクエスト集計結果データの一例を示す概略図である。
図８に示すリクエスト集計結果データは、リクエスト管理装置１２の記憶部１２３に記憶される。
【００８１】
図８に図示するように、リクエスト集計結果データは、「年」、「月」、「日」、「曜日」、「時」、「分」、「秒」、「回」、「リクエスト人数」、コンテンツのタイトルを示す６つの項目（「風物詩」、「信仰」、「名所今昔」、「豊臣家」、「異国人」、「商い」）、及び「端末番号」の１５個の項目の列からなる２次元の表形式のデータである。
【００８２】
「年」、「月」、「日」、「曜日」、「時」、「分」、及び「秒」の項目の列には、リクエストの集計が行われた時間を示すデータがそれぞれ格納される。例えば、図８示すデータのように、「年」、「月」、「日」、「曜日」、「時」、「分」、及び「秒」の項目の値が、それぞれ「２０１５」、「１」、「８」、「Ｆｒｉ」、「９」、「５２」、及び「５１」であるならば、このリクエスト集計結果データは、「２０１５年１月８日の金曜日の、９時５２分５１秒」に集計が行われたことを表す。
【００８３】
「回」の項目の列には、ＶＲシアターにおける上演の回を表すデータが格納されている。例えば、１０時に開始される上演に対するリクエストのリクエストログ情報を集計した場合のリクエスト集計結果データであるならば、「回」の項目には、「１０：００」というデータが格納される。
【００８４】
「リクエスト人数」の項目の列には、集計したリクエストログ情報の件数（すなわち、視聴者１人につき１回のリクエスト入力が可能であるならば、リクエスト入力をした視聴者の人数）を示すデータが格納される。
【００８５】
コンテンツのタイトルを示す６つの項目（「風物詩」、「信仰」、「名所今昔」、「豊臣家」、「異国人」、「商い」）の列には、各コンテンツの、リクエストされた件数を示すデータがそれぞれ格納される。例えば、図８に示すデータのように、「風物詩」、「信仰」、「名所今昔」、「豊臣家」、「異国人」、及び「商い」の項目の列の値が、それぞれ、「７」、「０」、「７」、「０」、「２」、及び「４」であるならば、各コンテンツの、リクエストされた件数は、それぞれ「７件」、「０件」、「７件」、「０件」、「２件」、及び「４件」であることを表す。
【００８６】
コンテンツのタイトルを示す６つの項目（「風物詩」、「信仰」、「名所今昔」、「豊臣家」、「異国人」、「商い」は、図６（Ａ）の画像ｄｉ１に含まれるコンテンツ一覧の中のコンテンツのタイトル、及び図４のリーフレット３に含まれるコンテンツ一覧の中のコンテンツのタイトル、にそれぞれに対応している。
【００８７】
（リクエスト集計結果を表す画像の表示例）
以下に、リクエスト管理装置１２及びコンテンツ再生システム２が表示するリクエスト集計結果を表す画像について、図を用いて説明する。
図９は、本発明の実施形態に係るリクエスト管理装置１２及びコンテンツ再生システム２が表示するリクエスト集計結果を表す画像の一例を示す概略図である。
図９は、リクエスト管理装置１２の表示部１２２に、およびコンテンツ再生システム２のコンテンツ再生部２０２に、リクエスト集計結果を表す画像を表す画像ｄｒ１が表示されている様子を表す。
なお、リクエスト管理装置１２またはコンテンツ再生システム２が、画像ｄｒ１を示すデータをリクエスト受付装置１１へ送信することによって、リクエスト受付装置１１の表示部１１２においてもリクエスト集計結果を表す画像を表す画像ｄｒ１を表示できるようにしてもよい。
【００８８】
図９に図示するように、画像ｄｒ１は、棒グラフを表す画像を含む。この棒グラフは、横軸（すなわち、棒グラフの各棒）が各コンテンツを表し、縦軸が各コンテンツのリクエスト件数を表す。
図９の画像ｄｒ１によって示される棒グラフは、図８に示すリクエスト集計結果データに基づいて生成される。図８に示すリクエスト集計結果データは、「風物詩」、「信仰」、「名所今昔」、「豊臣家」、「異国人」、及び「商い」の項目の列の値が、それぞれ、「７」、「０」、「７」、「０」、「２」、及び「４」である。それらの値に基づいて、図９に示す棒グラフは、各コンテンツ（「１．風物詩」、「２．信仰」、「３．名所今昔」、「４．豊臣家」、「５．異国人」、及び「６．商い」）のそれぞれの棒グラフが示す値が、「７」、「０」、「７」、「０」、「２」、及び「４」となる。
【００８９】
このリクエスト集計結果を表す棒グラフを参照することによって、ＶＲシアターのナビゲータ、及びＶＲシアターに入場した視聴者は、どのコンテンツがどれくらいリクエストされたのかを容易に把握することができる。
ナビゲータは、例えば、このリクエスト集計結果を表す棒グラフを、コンテンツ再生システム２のコンテンツ再生部２０２に表示させ、視聴者に対してリクエストの集計結果を説明する。そして、ナビゲータは、例えば、このリクエストの集計結果に基づいて、再生するコンテンツを決定し、決定したコンテンツ再生システム２に再生させる。ナビゲータは、例えば、図９に示すこのリクエスト集計結果を表す棒グラフに基づいて、リクエスト件数が最も多い「１．風物詩」のコンテンツ、及び「３．名所今昔」のコンテンツを、コンテンツ再生システム２に再生させる。
【００９０】
なお、リクエスト集計結果を表す棒グラフにおいて、６つのコンテンツの各棒の色は、それぞれ色分けされている。例えば、図９に例示する画像ｄｒ１のコンテンツ一覧においては、「１．風物詩」の棒の色にはピンク色が、「２．信仰」の棒の色には黄色が、「３．名所今昔」の棒の色には紫色が、「４．豊臣家」の棒の色には緑色が、「５．異国人」の棒の色には青色が、及び「６．商い」の棒の色にはオレンジ色が用いられている。
【００９１】
この色分けは、上述した、リーフレット３のコンテンツ一覧３１に含まれる各コンテンツが記載された６つの欄の背景色、及び、リクエスト受付装置１１の表示部１１２が表示する画像ｄｉ１においてコンテンツ一覧が表示された６つの欄の背景色と、それぞれ互いに一致している。このように、リクエスト管理装置１２は、コンテンツ毎に決められた色を、それぞれ背景色及び棒グラフの棒の色にしたコンテンツ一覧画面を表示することによって、視聴者にとって各コンテンツの認識がし易くなる。
なお、画像ｄｒ１と、画像ｄｉ１と、事前情報が掲載されたリーフレットやＷｅｂページと、において一致させることができるものは、コンテンツ毎の色だけには限られない。例えば、コンテンツ毎に付与された番号（数字）、各コンテンツの表示位置（配置）、及び各コンテンツの表示箇所に併せて表示されるイラスト等についても、画像ｄｒ１と、画像ｄｉ１と、事前情報が掲載されたリーフレットやＷｅｂページと、において一致させるようにしてもよい。
【００９２】
以上、説明したように、本発明の実施形態に係るリクエストシステム１は、視聴者による簡単な操作入力によって視聴者のリクエスト情報を取得し、取得したリクエスト情報の集計結果を参照することができる。これにより、特に多数の視聴者が会場に集まる場合、会場でナビゲータが視聴者に対して多数決を取る方法と比べて、リクエストシステム１は、視聴者からのリクエスト件数を正確に把握することを容易に行うことができる。また、リクエストシステム１は、視聴者からのリクエスト件数の把握のために要する時間をより短くすることができる。
【００９３】
また、リクエストシステム１は、簡単な操作入力によってリクエスト入力をすることができるため、リクエスト入力をする視聴者には、高い情報リテラシーは要求されない。これにより、リクエストシステム１は、情報リテラシーのレベルが様々な視聴者が集まる会場においても、視聴者からのリクエスト件数を容易に正しく把握することができる。
以上により、本発明の実施形態に係るリクエストシステム１は、複数の視聴者が集まる会場において、提供するコンテンツのリクエストを視聴者から円滑に受け付けることができる。
【００９４】
以上、この発明の実施形態について詳しく説明してきたが、具体的な構成は上述のものに限られることはなく、この発明の要旨を逸脱しない範囲内において様々な設計変更等をすることが可能である。
例えば、リクエスト管理装置１２は、コンテンツ再生システム２またはリクエスト受付装置１１と一体化した装置であってもよい。
【００９５】
なお、上述した実施形態におけるリクエスト受付装置１１、及びリクエスト管理装置１２の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【００９６】
なお、ここでいう「コンピュータシステム」とは、リクエスト受付装置１１、及びリクエスト管理装置１２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９７】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００９８】
また、上述した実施形態におけるリクエスト受付装置１１、及びリクエスト管理装置１２を、ＬＳＩ（Ｌａｒｇｅ  Ｓｃａｌｅ  Ｉｎｔｅｇｒａｔｉｏｎ）等の集積回路として実現してもよい。リクエスト受付装置１１、及びリクエスト管理装置１２の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００９９】
１・・・リクエストシステム、２・・・コンテンツ再生システム、３・・・リーフレット、１１・・・リクエスト受付装置、１２・・・リクエスト管理装置、１３・・・ルーター、３１・・・コンテンツ一覧、１１１・・・操作入力部、１１２・・・表示部、１１３・・・記憶部、１１４・・・通信部、１１５・・・制御部、１２１・・・操作入力部、１２２・・・表示部、１２３・・・記憶部、１２４・・・通信部、１２５・・・制御部、１２６・・・集計部、２０１・・・操作入力部、２０２・・・コンテンツ再生部、２０３・・・コンテンツ記憶部、２０４・・・通信部、２０５・・・制御部、ｄｉ１・・・画像、ｄｉ２・・・画像、ｄｉ３・・・画像、ｄｒ１・・・画像
【図１】
0006623560.tif 000002
【図２】
0006623560.tif 000003
【図３】
0006623560.tif 000004
【図４】
0006623560.tif 000005
【図５】
0006623560.tif 000006
【図６】
0006623560.tif 000007
【図７】
0006623560.tif 000008
【図８】
0006623560.tif 000009
【図９】
0006623560.tif 000010